(57)【要約】【課題】施設とその施設と提携する一部の駐車場（非対応機器駐車場）との機器が同一メーカーでない場合であっても、施設との提携駐車場全てに対する割引サービスの処理を可能とする。【解決手段】複数の駐車場のうち特定の駐車場以外の非対応機器駐車場が発行した駐車券に対し割引情報を書込することができない認証機を備える前記施設内の各個別扱い提携所において引換券を配布する。各個別扱い提携所の認証機において引換券に割引情報を書き込み、引換機は割引情報に応じて特定の非対応機器駐車場用のサービス券を発行する。駐車料金精算機は非対応機器駐車場において、前記駐車券に対する駐車料金をサービス券による割引情報を用いて計算する。【選択図】  図1
2013105406.tif 000002
【特許請求の範囲】
【請求項１】
一定施設と当該施設と提携する複数の駐車場との駐車料金割引システムにおいて、
前記複数の駐車場のうち特定の駐車場以外の非対応機器駐車場が発行した駐車券に対し割引情報を磁気書込することができない認証機を備える前記施設内の各個別扱い提携所において配布された引換券に施設内の各個別扱い提携所の認証機において磁気により書き込まれた割引情報に応じて特定の非対応機器駐車場用のサービス券を発行する引換機と、
施設内の各個別扱い提携所に設置され前記引換券に対して磁気により割引情報を書き込む認証機と、
非対応機器駐車場において、前記駐車券に対する駐車料金をサービス券による割引情報を用いて計算する駐車料金精算機を備えることを特徴とする駐車料金割引システム。
【発明の詳細な説明】
【技術分野】
【０００１】
本発明は、都市部の百貨店のような多数の提携駐車場を持つ施設において、提携駐車場全てに対する割引サービスの処理を可能とするものである。
【背景技術】
【０００２】
従来、図２に示すように、一定施設２０３と提携する一つの駐車場２０１において、車両の入場時に図示しない駐車券発行機から駐車券２０２を受けた利用者は、施設２０３内の例えば店舗において買い物をすると店舗が備える認証機２０６により前記駐車券２０２に割引サービスとして割引情報を磁気記録される。出場の際の精算において、当該駐車券２０２を図示しない自動精算機に投入すると、自動精算機は駐車券２０２に磁気記録された入場時刻と現在時刻及び割引情報に基づいて駐車料金を計算する。
【０００３】
この自動精算機による割引サービスは、施設２０３の認証機２０６と前記駐車場の精算機などとの機器が同一メーカーである場合に、可能となっている。施設と駐車場の機器が同一メーカーでない場合は、非対応機器駐車場２０７に設置される図示しない駐車券発行機と、その駐車券２０８、図示しない自動精算機の磁気記録形式及びその処理の方式が、統一がとれないため、割引サービス処理が困難あるいは不能になるという欠点があり、統一するためには設備投資に費用がかかるという欠点があった。
【発明の概要】
【発明が解決しようとする課題】
【０００４】
解決しようとする問題点は、施設とその施設と提携する一部の駐車場（非対応機器駐車場）との機器が同一メーカーでない場合であっても、施設との提携駐車場全てに対する割引サービスの処理を可能とすることにある。
【課題を解決するための手段】
【０００５】
本発明は、一定施設と当該施設と提携する複数の駐車場との駐車料金割引システムにおいて、前記複数の駐車場のうち特定の駐車場以外の非対応機器駐車場が発行した駐車券に対し割引情報を磁気書込することができない認証機を備える前記施設内の各個別扱い提携所において配布された引換券に施設内の各個別扱い提携所の認証機において磁気により書き込まれた割引情報に応じて特定の非対応機器駐車場用のサービス券を発行する引換機と、施設内の各個別扱い提携所に設置され前記引換券に対して磁気により割引情報を書き込む認証機と、非対応機器駐車場において、前記駐車券に対する駐車料金をサービス券による割引情報を用いて計算する駐車料金精算機を備えることを特徴とするものである。
【発明の効果】
【０００６】
本発明によると、非対応機器駐車場において発行された駐車券を受けたとき、引換券が配布され、その引換券について施設内における店舗等の提携所で割引認証を受け、その認証を受けた引換券の割引情報に応じたサービス券を受けることができ、車両を駐車した非対応機器駐車場においては駐車券に対する駐車料金をサービス券による割引情報を用いて計算することができる。
【図面の簡単な説明】
【０００７】
【図１】本発明による駐車料金割引システムの一実施例を示した構成図である。
【図２】従来の駐車料金割引システムの一実施例を示した構成図である。
【発明を実施するための形態】
【実施例１】
【０００８】
図１は、本発明システムの１実施例の構成図であり、１０１は非対応機器駐車場、１０２は駐車場の図示しない駐車券発行機から発行された駐車券、１０３は例えば百貨店等の施設、１０４は施設１０３に配置される引換券発行機、１０５は前記引換券発行機から発行された引換券、１０６は施設１０３内の提携所が備える認証機、１０７は施設１０３内の適当箇所に置かれる引換機、１０８はサービス券である。認証機１０５を備える提携所は、例えば施設１０３が百貨店であればそこに出店する店舗が相当する。
【０００９】
利用者が非対応機器駐車場に入場するとき図示しない駐車券発行機から駐車券１０２を受ける。利用者は駐車した自動車から降りて施設１０３に立ち入り引換券発行機１０４から発行された引換券１０５を受け取る。引換券１０５は引換券発行機１０４によらず、施設の一定の店舗に用意し利用者に自由に配布するようにしてもよい。この引換券１０５は磁気記録可能な券であり、施設１０３において統一の券であり、施設の機器と同一メーカーによる特定提携駐車場が発行する磁気駐車券の追加書込と同様に磁気記録が可能である。特定提携駐車場は図示されないが、図２と同様に施設１０３とは認証機１０６と駐車券２０２を介して関係づけられる。
【００１０】
利用者が施設内の個別扱い提携所としての店舗で買い物又はサービスを受けると当該提携所の認証機１０６で前記引換券１０５に割引サービスの認証を受ける。その認証は、買い物等の買上金額に応じた割引情報あるいは一律に例えば「１時間割引」のような直接的な割引情報を磁気により追加記録することにより行われる。この認証の回数は複数可能とし、制限回数を設けてもよい。利用者は、当該施設１０３の利用を終えて、施設１０３から出ようとするとき、引換機１０７に立ち寄り、認証を受けた引換券１０５を引換機１０７のオペレータに渡す。オペレータは利用客が持っている駐車券からいずれの非対応機器駐車場であるか確認し、入力する。この場合、引換券１０５の配布時に駐車券を確認して引換券１０５に非対応機器駐車場の識別符号を磁気記録するようにして、オペレータが読み取り機により読み取らせるようにしてもよい。引換機１０７は引換券１０５の割引情報を読み取り、非対応機器駐車場に応じたサービス券１０８を何枚配布するか自動計算する。オペレータはあらかじめ用意していた該当する非対応機器駐車場のサービス券を渡す。このサービス券１０８は、提携する非対応機器駐車場ごとに配布され、当該非対応機器駐車場において買上情報又は一律に設けられた割引情報に従って使用できる磁気式券であり、券面に「サービス券」であることの明示、その他の必要な文が印刷されている。
非対応機器駐車場が有人の場合は単なる紙券により提供される。
【００１１】
前記利用者が非対応機器駐車場から出場しようとするとき、駐車券１０２及びサービス券１０８を駐車場の出口に設置してある図示しない自動精算機の所定箇所に挿入する。自動精算機は駐車券１０２の入場時刻を読み取り現在時刻から駐車料金を計算し、サービス券１０８の買上情報又は一律に設けられた割引情報による割引料金を差し引き、精算料金を表示する。料金の受領が確認されると出場ゲートが開かれ、車両の出場を可能とする。
駐車場が有人の場合、紙券のサービス券を目視して、レジスター等の割引ボタンを押すことで駐車料金が割り引かれる。
【符号の説明】
【００１２】
１０１  非対応機器駐車場
１０２  駐車券
１０３  施設
１０４  引換券発行機
１０５  引換券
１０６  認証機
１０７  引換機
１０８  サービス券
【図１】
2013105406.tif 000003
【図２】
2013105406.tif 000004